(57)【特許請求の範囲】
【請求項１】
連続媒体のロールを装填する装填部と、供給された媒体に印字を行う印字部と、印字された媒体を所定の長さに切断する切断手段と、切断された媒体を排出する排出口と、これら各部に媒体を搬送するとともに媒体先端を待機位置に逆送りする搬送手段と、前記ロールから供給される媒体に同ロールの供給の立ち上げ時間分の長さのたるみをもたせるとともにこのたるみにテンションを与えるテンションアームを具備する自動発券装置において、
前記テンションアームの復帰を検知する復帰検知手段と、
媒体のたるみ分を許容するクリアランスを設け、
前記搬送手段により媒体先端を待機位置に逆送りする場合、前記テンションアームが復帰しきってから、所定時間おいて前記搬送手段の逆送りを停止することを特徴とする自動発券装置。
【発明の詳細な説明】
【０００１】
【産業上の利用分野】
本発明は、連続媒体、特にロール状の連続媒体を使用する自動発券装置に関する。
【０００２】
【従来の技術】
図２はこの種の自動発券装置の従来技術を示す概略側面図である。
図において、１は連続状の媒体、１′は媒体１のロール、２は該ロール１′を装填する装填部、１０は媒体に印字を行う印字部であり、該印字部１０はサーマルヘッド４，プラテン５及びインクリボン６を具備している。７は印字された媒体１を所定の長さに切断する切断手段としてのカッタ、８は切断された媒体を排出する排出ロール、９は排出口、３，３′はこれら各部に媒体を搬送するとともに媒体先端を待機位置に逆送りする搬送手段としてのフィードローラである。
【０００３】
ここで、媒体１へ印字するため図示しないモータ等の駆動源にてフィードローラ３，３′を駆動してロール１′より媒体を引出し搬送するのであるが、ロール状の媒体の慣性負荷が非常に大きいため搬送の立ち上がりに時間を要する。そのため、その立ち上げ時間分の媒体長をスムーズに搬送系に供給する以下の機構が備えられている。
【０００４】
すなわち、３１はテンションアームであり、ロールから供給される媒体に同ロールの供給の立ち上げ時間分の長さのたるみをもたせるとともにこのたるみにテンションを与える。３２はテンションスプリングであり、該テンションスプリング３２は該テンションアーム３１を引き寄せて復帰位置にリセットするとともに、前記テンションアーム３１に適度なテンションを与えるものである。
【０００５】
２３は媒体頭出しセンサ、２４は待機位置出しセンサであり、それぞれ媒体の走行路上に設けてある。
以上の構成の従来例の動作を説明する。
まず、図示しない制御部により、イニシャルの命令が発せられることで、媒体１はフィードローラ３により待機位置出しセンサ２３まで搬送され、発券命令があるまで待機する。
【０００６】
次に、発券命令が発せられると、媒体１は、フィードローラ３，３′により印字部１０へ送られる。印字部では媒体頭出しセンサ２３によって印字タイミングを取り、サーマルヘッド４とプラテン５により媒体１はインクリボン６と圧接され表面に所定の印字が行われる。
このとき、テンションアーム３１により保持されていた前記たるみが、ロールの供給の立ち上げ時間までのあいだテンションスプリング３２により適度なテンションを与えられながら送られるので、媒体１の安定搬送が得られる。
【０００７】
その後、媒体１はカッタ７により所定の長さに切断され、排出ローラ８によって排出口９より排出され、一連の発券動作は終了する。
発券動作終了後、図示せぬタイマを監視し、予め定めた時間内に次の発券命令が無ければ、連続して発券動作を行わないと判定し、フィードローラ３，３′を逆方向に駆動して切断された媒体１の先端を待機位置出しセンサ２４まで後退させる。
【０００８】
このとき、テンションアーム３１はテンションスプリング３２のテンションにより復帰位置へリセットする。
【０００９】
【発明が解決しようとする課題】
しかしながら、上述した構成の従来技術によれば、印字待機時，装置停止時に係わらず、テンションアームを介して常に媒体にテンションが掛かっているため、強いカールぐせが付き、従ってジャム等障害が発生し易くなるという問題があった。
【００１０】
本発明は、以上の問題に鑑み、印字待機時や装置停止時等長時間媒体が停止する場合に、媒体をテンションアームからのテンションより開放する構成を得て、カールぐせが付くことを防ぎ、ジャム等の障害の発生の少ない装置を提供することを目的とする。
【００１１】
【課題を解決するための手段】
上記目的を達成するため、本発明は、長時間媒体が停止する場合にテンションアームのテンションを媒体が受けなくなる状態に媒体をたるませるようにする。
すなわち、本発明は、連続媒体のロールを装填する装填部と、供給された媒体に印字を行う印字部と、印字された媒体を所定の長さに切断する切断手段と、切断された媒体を排出する排出口と、これら各部に媒体を搬送するとともに媒体先端を待機位置に逆送りする搬送手段と、前記ロールから供給される媒体に同ロールの供給の立ち上げ時間分の長さのたるみをもたせるとともにこのたるみにテンションを与えるテンションアームを具備する自動発券装置において、前記テンションアームの復帰を検知する復帰検知手段と、媒体のたるみ分を許容するクリアランスを設け、前記搬送手段により媒体先端を待機位置に逆送りする場合、前記テンションアームが復帰しきってから、所定時間おいて前記搬送手段の逆送りを停止する。
【００１２】
【作用】
上記構成により、本発明は、搬送手段により媒体先端を待機位置に逆送りする場合、復帰検知手段により前記テンションアームの復帰を検知し、前記テンションアームが復帰しきってから、所定時間おいて前記搬送手段の逆送りを停止するするので、媒体がクリアランスに送りこまれテンションアームに対し所定のたるみが生じる。
【００１３】
【実施例】
以下本発明の実施例を図面に従って説明する。
図１は本発明の一実施例を示す概略側面図である。
図において、１は連続状の媒体、１′は媒体１のロール、２は該ロール１′を装填する装填部、１０は媒体に印字を行う印字部であり、該印字部１０はサーマルヘッド４，プラテン５及びインクリボン６を具備している。７は印字された媒体１を所定の長さに切断する切断手段としてのカッタ、８は切断された媒体を排出する排出ロール、９は排出口、３，３′はこれら各部に媒体を搬送するとともに媒体先端を待機位置に逆送りする搬送手段としてのフィードローラである。
【００１４】
３１は従来と同様の構成作用を有するテンションアームであり、ロール１′から供給される媒体に同ロール１′の供給の立ち上げ時間分の長さのたるみをもたせるとともにこのたるみにテンションを与える。テンションアーム３１は従来と同様にテンションスプリング３２により引き寄せられて復帰位置にリセットするとともに、適度なテンションを与えられている。
【００１５】
２５はテンションアーム３１の復帰を検知する復帰検知手段としてのテンションリセットセンサである。３３は媒体のたるみ分を許容するようにテンションアーム３１後方に設けたクリアランスである。
２３は媒体頭出しセンサ、２４は待機位置出しセンサであり、それぞれ媒体の走行路上に設けてある。
【００１６】
図２は上記構成の本実施例の作用を示す動作フローチャートであり、同図に従って、本実施例の作用を以下に説明する。
まず、図示しない制御部により、イニシャルの命令が発せられることで（Ｓ１）、媒体１はフィードローラ３により待機位置出しセンサ２４まで搬送され（Ｓ２〜Ｓ４）、発券命令があるまで待機する（Ｓ５）。
【００１７】
次に、発券命令が発せられると、媒体１は、フィードローラ３，３′により印字部１０へ送られる（Ｓ６）。印字部１０では媒体頭出しセンサ２３によって印字タイミングを取り、サーマルヘッド４とプラテン５により媒体１はインクリボン６と圧接され表面に所定の印字が行われる（Ｓ７）。
このとき、従来と同様テンションアーム３１により保持されていたたるみが、ロール１′の供給の立ち上げ時間までのあいだテンションスプリング３２により適度なテンションを与えられながら送られるので、媒体１の安定搬送が得られる。
【００１８】
その後、媒体１はカッタ７により所定の長さに切断され（Ｓ８）、排出ローラ８によって排出口９より排出され（Ｓ９）、一連の発券動作は終了する。
発券動作終了後、図示せぬタイマを監視し、予め定めた時間内に次の発券命令が無ければ（Ｓ１０）、連続して発券動作を行わないと判定し、フィードローラ３，３′を逆方向に駆動して切断された媒体１の先端を待機位置出しセンサ２４まで後退させる（Ｓ１１〜Ｓ１２）。
【００１９】
このとき、テンションアーム３１はテンションスプリング３２のテンションにより復帰位置へリセットする。
ここで、テンションリセットセンサ２５がテンションアーム３１を検知するが（Ｓ１３）、検知した時に即時、フィードローラ３，３′の回転を止めるのではなく、数十ｍｓｅｃ〜数百ｍｓｅｃの時間をおいて回転を止める（Ｓ１４〜Ｓ１５）。これにより、テンションアーム３１後方のクリアランス３３に媒体が逆送りされて若干のたるみが生ずる。
【００２０】
次ぎなる印字時には、ロール１′の供給の立ち上げ時間までのあいだ、テンションアーム３１後方にあるたるみが送られさらにテンションアーム３１に媒体１が当接した後はテンションスプリング３２により適度なテンションを与えられながら送られるので、媒体１の安定搬送が得られる。
なお、装置停止時にも上記後退動作を行う。すなわち、電源オフ操作があると、数十ｍｓｅｃ〜数百ｍｓｅｃの時間のフィードローラ３，３′の逆転動作を行ってテンションアーム３１後方のクリアランス３３に媒体１を逆送りし若干のたるみを持たせてから電源を断とする。
【００２１】
【発明の効果】
以上詳細に説明した如く、本発明によれば、連続媒体のロールを装填する装填部と、供給された媒体に印字を行う印字部と、印字された媒体を所定の長さに切断する切断手段と、切断された媒体を排出する排出口と、これら各部に媒体を搬送するとともに媒体先端を待機位置に逆送りする搬送手段と、前記ロールから供給される媒体に同ロールの供給の立ち上げ時間分の長さのたるみをもたせるとともにこのたるみにテンションを与えるテンションアームを具備する自動発券装置において、前記テンションアームの復帰を検知する復帰検知手段と、媒体のたるみ分を許容するクリアランスを設け、前記搬送手段により媒体先端を待機位置に逆送りする場合、前記テンションアームが復帰しきってから、所定時間おいて前記搬送手段の逆送りを停止するので、長時間媒体が停止する場合にテンションアームのテンションを媒体が受けなくなる状態に媒体をたるませることができる。
【００２２】
これにより、印字待機時や装置停止時等長時間媒体が停止する場合に、媒体をテンションアームからのテンションより開放することが可能となり、カールぐせが付くことを防ぎ、ジャム等の障害の発生の少ない装置を提供するという効果がある。
【図面の簡単な説明】
【図１】本発明の一実施例を示す概略側面図である。
【図２】本発明の一実施例を示す動作フローチャートである。
【図３】従来例を示す概略側面図である。
【符号の説明】
１  媒体
１′  ロール
２  装填部
３，３′フィードローラ
４  サーマルヘッド
５  プラテン
６  インクリボン
７  カッタ
８  排出ローラ
９  排出口
１０  印字部
２３  媒体頭出しセンサ
２４  待機位置出しセンサ
２５  テンションリセットセンサ
３３  クリアランス
【図１】
0003608670.tif 000002
【図２】
0003608670.tif 000003
【図３】
0003608670.tif 000004